(57)【特許請求の範囲】
【請求項１】
複数の柱状魚礁が組み合わされた魚礁群人工礁であり、
前記柱状魚礁は、内部を蝟集空間としたものであって、この柱状魚礁における底面の輪郭線上の２点を結ぶ線のうちの最大となる長さが７ｍ以下であると共に、この最大となる長さに対して該柱状魚礁の高さの比が２倍以上で、且つ該高さが１３ｍ以上であり、
前記柱状魚礁を、厚みが５００mm以下の基盤上に水平方向に空間を開けて複数基立設し、これら複数の柱状魚礁間の距離を２．６〜１５ｍとして、この柱状魚礁間の奥深くも魚生息域としたものであることを特徴とする魚礁群人工礁。
【請求項２】
前記基盤は、その基盤面の輪郭線上の２点を結ぶ線のうちの最大となる長さが、前記柱状魚礁の高さの０．５倍以上である請求項１に記載の魚礁群人工礁。
【請求項３】
前記空間に、増殖礁が設けられたものである請求項１または２に記載の魚礁群人工礁。
【請求項４】
前記増殖礁が、前記柱状魚礁の高さ方向に複数設けられたものである請求項３に記載の魚礁群人工礁。
【発明の詳細な説明】
【０００１】
【発明の属する技術分野】
本発明は、海底や湖底等に沈設するタイプの魚礁群人工礁に関するものであり、特に水深約６０〜２００m程度の比較的深い海域等においても好適に用いることのできる魚礁群人工礁に関するものである。尚以下、代表として海底に沈設する場合を例に挙げて述べることがある。
【０００２】
【従来の技術】
従来より、漁場造成、或いは幼稚魚や若齢漁の保護、飼料供給による育成、親漁の保護や産卵場の造成等の目的で、人工魚礁や増殖礁を海底に沈設することが行われている。沈設場所としては専ら大陸棚等の水深約１００mより浅い海域であり、規模としては４００〜５００００m3程度である。
【０００３】
上記人工魚礁や増殖礁としてはコンクリート材や鋼材を一定形状に構成したもの等が挙げられ、その大きさとしては概ね幅１．５〜１０m，高さ１．５〜１３mのものが用いられている。そして該人工魚礁を沈設区域内に複数設置して、人工魚礁群を形成している。
【０００４】
この様な魚礁に対して魚類は様々な行動生態を示すが、魚礁に対する定位の仕方により大きく３タイプに分類することができ、即ち▲１▼魚礁に体の大部分もしくは一部分を接触させている魚種（アイナメ，カサゴ等）、▲２▼体を魚礁に接触させないが魚礁の周囲を遊泳する魚種，或いは魚礁周辺の海底に定位する魚種（マダイ，チダイ，イサキ，イシダイ，ヒラメ，カレイ等）、▲３▼魚礁から離れた表・中層水域に滞泳する魚種（ブリ，ヒラマサ，カツオ，アジ等）に分けられる。つまり魚は魚礁周囲（魚礁表面付近）や魚礁内の蝟集空間を生息域としている。
【０００５】
ところで上述の様に従来では１００mより浅い海域での人工魚礁造成が行われていたが、近年、沿岸漁場の沖合への拡大や魚介類の増殖を目指して、水深１００mより深い海域における人工魚礁の設置が検討されている。
【０００６】
この様な深い海域に沈設する魚礁としては、高層の魚礁が漁場造成上必要とされ、例えば特許番号２６５９０３７号公報に、超高層魚礁として、蝟集空間を有する構造物基体と、該構造物基体上に配置固設された２本以上の塔状構造物とを備えた高さ２０m以上のものが提案されている。
【０００７】
【発明が解決しようとする課題】
図１２は該超高層魚礁の様に大きい魚礁（以下、大型魚礁と称することがある）の魚生息域を説明するための図であり、該大型魚礁９０の水平方向断面図である。
【０００８】
上記超高層魚礁（高さ２０m以上）の様な大型魚礁は、高さだけでなく、幅方向，奥行き方向も非常に大きいものとなっており、よって該大型魚礁の外郭（内部の蝟集空間を除いた魚礁外郭）表面積率は小さいものとなる。
【０００９】
一方上述の様に魚は魚礁周囲や魚礁内の蝟集空間を生息域としているが、魚礁周囲を生息域とする魚類（マダイ等）だけをとってみても、上記大型魚礁が設置された場合の方が、これと同じ設置範囲に小さい魚礁を多数沈設した場合に比べて、生息域が小さくなる。加えて魚礁内部の蝟集空間に入る魚類としても、魚礁内奥深くまで入ることはあまりないから、上記大型魚礁に形成された蝟集空間のうち、魚の使用場所としては魚礁の表面近くにとどまり、この様に生息域はあまり大きいものではない。
【００１０】
即ち魚生息域は図１２に示す二点鎖線Ａと二点鎖線Ｂで挟まれた領域内であり（図にドットで示した部分）、大型魚礁の大きさのわりにはあまり魚の生息域は広いとは言えない。
【００１１】
そこで本発明は上記観点からなされたものであり、比較的水深の深い海域においても好適に用いることができ、且つ魚礁設置区域内に効率的に魚の生息域を確保することのできる魚礁群人工礁を提供することを目的とする。
【００１２】
【課題を解決するための手段】
本発明に係る魚礁群人工礁は、複数の柱状魚礁が組み合わされた魚礁群人工礁であり、
前記柱状魚礁が、内部を蝟集空間としたものであって、この柱状魚礁における底面の輪郭線上の２点を結ぶ線のうちの最大となる長さが７ｍ以下であると共に、この最大となる長さに対して該柱状魚礁の高さの比が２倍以上で、且つ該高さが１３ｍ以上であり、前記柱状魚礁を、厚みが５００mm以下の基盤上に水平方向に空間を開けて複数基立設し、これら複数の柱状魚礁間の距離を２．６〜１５ｍとして、この柱状魚礁間の奥深くも魚生息域としたものであることを要旨とする。尚上記水平方向とは、精密な水平の方向だけを意味するものではなく、海底地盤の状況によっては上記基盤が少々傾斜して設置される場合もあり、この様な多少傾いた方向も含む。また上記「底面の輪郭線上の２点を結ぶ線のうちの最大となる長さ」（以下、底面の最大長さと称することがある）とは、例えば上記魚礁の底面が正方形や長方形であればその対角線の長さ、円形であればその直径、楕円形であれば長軸の長さとなる。加えて本明細書において、魚礁群人工礁とは、複数の魚礁が組み合わされてシステムとなったものを指す。
【００１３】
底面の最大長さに対する高さの比が２倍以上ある上記魚礁（以下、柱状魚礁と称することがある）は、これのみを海底に沈設すれば、海水の流れによって容易に倒れてしまい、結果的に高さの低い魚礁を沈設したこととなってしまう。しかし上述の様に上記柱状魚礁を基盤上に立設することにより、該基盤が支えとなり、倒れることなく立設することができる。尚上記基盤の大きさとしては、基盤面の輪郭線上の２点を結ぶ線のうちの最大となる長さが、上記柱状魚礁の高さの０．５倍以上であることが好ましく、より好ましくは０．６倍以上、更により好ましくは０．７倍以上である。尚上記「基盤面の輪郭線上の２点を結ぶ線のうちの最大となる長さ」とは、基盤面が四角形の場合はその対角線を示し、円形の場合は直径を示す。
【００１４】
上記柱状魚礁は低い魚礁に比べて高さ方向にも魚生息域を確保でき、また上記柱状魚礁は細長く外殻の表面積率が高いから、上記大型魚礁に比べて魚の生息域の形成効率が良い。尚上記柱状魚礁としては、底面の最大長さに対する高さの比が２．５倍以上あることが好ましく、より好ましくは３倍以上、更に好ましくは４倍以上である。
【００１５】
そしてこの様な上記柱状魚礁を複数基、上記基盤上に立設することにより、個々の柱状魚礁が形成する魚生息域が総和され、非常に広い生息域となる。
【００１６】
即ち、図１は、４基の柱状魚礁１５を基盤上に立設した魚礁群人工礁において、その魚生息域を説明するための図であり、該魚礁群人工礁の水平方向断面図である。図１に二点鎖線で示した範囲内全体が魚生息域であり、この様に１つ１つの魚礁１５が形成する魚生息域が合わさって大きな生息域が形成されており、しかも該生息域は魚礁と魚礁の間の空間の奥深くまで至っている。従って１つの大型魚礁を設置する場合に比べて、同じ設置範囲で比較すると、より効率的に魚生息域を確保することができ、結果として広い魚生息域となる。
【００１７】
尚上記基盤を用いずに上記柱状魚礁を海底に埋設して立てる方法も考えられるが、水深６０m以上の様な海底におけるこの様な作業は極めて高コストであるから、実用的でない。
【００１８】
また本発明においては、前記柱状魚礁の底面の輪郭線上の２点を結ぶ線のうちの最大となる長さが７m以下、前記柱状魚礁の高さが１３m以上であることが好ましい。
【００１９】
この様な縦長の柱状魚礁は外郭表面積率が高く、非常に広い魚生息域を確保できるからである。より好ましくは前記柱状魚礁の高さが１５m以上である。
【００２０】
また上記基盤の厚みとしては５００mm以下であることが好ましく、より好ましくは３００mm以下であり、更に好ましくは２５０mm以下である。
【００２１】
加えて本発明においては、前記複数の魚礁間の距離が、２．６〜１５mであることが好ましい。
【００２２】
魚礁−魚礁間の距離が２．６mより小さい場合では、魚礁の外郭表面（魚礁周囲）を生息域とする魚は、上記魚礁−魚礁間に侵入することが極めて少なく、これら複数の魚礁をあたかも１つの魚礁として、つまり複数魚礁を一塊りとしてその外郭を魚が生息することになるといった懸念がある。また魚礁の蝟集空間内に生息する魚としても同様に複数魚礁を一塊りとしてその外郭表面付近の蝟集空間にとどまり、上記大型魚礁の場合と同様に、魚生息域が効率的に形成されない恐れがある。即ち、図２（ａ）は複数の魚礁１５が近接して設置された魚礁群人工礁における水平断面図であり、魚生息域は二点鎖線Ａ，Ｂで挟まれた範囲内（図にドットで示す部分）にとどまる恐れがある。
【００２３】
しかし上記の様に魚礁−魚礁間の距離を２．６m以上とすることにより、魚礁の外郭表面を生息域とする魚は、魚礁−魚礁間に侵入する様になり、生息域が広くなる。同様に魚礁の蝟集空間内に生息する魚も、生息域が広くなる。つまり図２（ｂ）は複数の魚礁１５が十分な間隔を開けて設置された魚礁群人工礁における水平断面図であり、それぞれ二点鎖線で囲んだ内側が魚の生息域となっている。図２（ｂ）に示すように魚礁１５−魚礁１５間の奥深くにも魚生息域が広がっている。
【００２４】
より好ましくは魚礁−魚礁間の距離が３m以上であり、更に好ましくは３．５m以上である。
【００２５】
一方魚礁が隣接して複数存在すると、これらの魚礁が影響を与え合うから、魚生息域としては単に加算されるだけでなく、それ以上の生息域の広さとなる。この様な観点から、魚礁−魚礁間の距離としては上記の様に１５m以下であることが好ましい。より好ましくは１２m以下である。
【００２６】
更に本発明においては、魚礁と魚礁の間の空間に増殖礁が設けられたものであることが好ましい。また本発明においては、前記複数の魚礁によって形成される外周縁の外方に向けて増殖礁が延設されたものであることが好ましい。
【００２７】
この様に増殖礁を設けることにより、魚に産卵場所や稚魚育成場所が提供され、魚の増殖が良好となる。尚上記増殖礁の配置や種類は、対象魚介種によって適宜選択すると良い。特に本発明の魚礁群人工礁は、増殖礁の配置に関して水平方向だけでなく、高さ方向にも選択の範囲が大きいから、対象魚介種にとって好適な水深で最適の増殖を図ることが可能となる。
【００２８】
また本発明においては、前記増殖礁が前記魚礁の高さ方向に複数設けられたものであることが好ましい。
【００２９】
本発明の柱状魚礁は高さ方向に長いから、複数の増殖礁を設けることができ、この様に複数設けることにより一層の魚介種の増殖が期待できる。尚増殖礁と増殖礁の上下方向の間隔としては５ｍ以上とすることが望ましい。あまり狭くすると対象魚介種が良好に侵入しない恐れがあり、効率的，経済的な増殖を図れないという懸念があるからである。
【００３０】
加えて本発明においては、前記魚礁がその内部に蝟集空間を有するものであることが好ましい。
【００３１】
本発明は、上記柱状魚礁として内部に蝟集空間を有しないものも包含するものであるが、蝟集空間を有するものの方が、魚礁周囲に生息する魚類だけでなく、蝟集空間を生息域とする魚類も集魚されるから、上述の様に内部に蝟集空間を有する魚礁であることが好ましい。
【００３２】
【発明の実施の形態及び実施例】
＜実施例１＞
図３は本発明の実施例１に係る魚礁群人工礁１０を示す斜視図であり、図４の（ａ）は該魚礁群人工礁１０の柱状魚礁１１を示す斜視図で、図４の（ｂ）は上記魚礁群人工礁１０の基盤１２を示す斜視図である。また図５は上記魚礁群人工礁１０を模式的に表した斜視図である。
【００３３】
基盤１２及び柱状魚礁１１は鋼材で構成されており、該基盤１２の大きさは例えば縦Ｃ：１８ｍ，横Ｄ：１８ｍで、厚さ（高さ）Ｊ：２００mmである。また柱状魚礁１１は内部に蝟集空間を有し、該柱状魚礁１１の外郭形状は四角柱であり、その大きさは例えば高さＨ1：３０ｍ，底辺の縦Ｅ：４．６m，横Ｆ：４．６mである。この様に柱状魚礁１１の底面の最大長さ（四角形底面の対角線の長さ）に対する高さの比が約４．６倍である。
【００３４】
図に示す様に、上記基盤１２上に４基の上記柱状魚礁１１が立設されて魚礁群人工礁１０を形成している。上記柱状魚礁１１と柱状魚礁１１の間の距離Ｇはそれぞれ３．８mである。また上記柱状魚礁１１と柱状魚礁１１は高さ方向に２箇所、連結部材１３によって連結されている。
【００３５】
基盤１２は上述の様に縦，横１８mと大きいものであり、該基盤１２に上記柱状魚礁１１が固定されているから、海水の流れによって容易に倒れることがない。更に本実施例１では、上記連結部材１３によって各柱状魚礁１１が連結されているから、より一層倒れ難い。
【００３６】
本実施例１の魚礁群人工礁においては、柱状魚礁１１と柱状魚礁１１の間にも魚が侵入し、魚礁表面に生息する魚類にとっての生息域が広く、また蝟集空間に入る魚類にとっても個々の柱状魚礁１１内の蝟集空間に入り、広い生息域となる。
【００３７】
＜実施例２〜４＞
図６は本発明の実施例２に係る魚礁群人工礁２０を示す斜視図、図７は本発明の実施例３に係る魚礁群人工礁３０を示す斜視図、図８は本発明の実施例４に係る魚礁群人工礁４０を示す斜視図である。また図９の（ａ）は上記実施例２の魚礁群人工礁２０の柱状魚礁２１を示す斜視図で、図９の（ｂ）は上記実施例３の魚礁群人工礁３０の柱状魚礁の１つ（柱状魚礁３１）を示す斜視図である。尚図３，４と同じ構成部分については同一の符号を付して重複説明を避ける。
【００３８】
上記実施例２に係る魚礁群人工礁２０の各柱状魚礁２１は、図６，図９（ａ）に示す様に上部分がやや細くなっている。
【００３９】
また上記実施例３の魚礁群人工礁３０は、図７に示す様に高さの異なる柱状魚礁１１，３１がそれぞれ２基ずつ、合計４基、基盤２２上に立設されたものである。上記柱状魚礁３１の高さＨ2は２５mで、底辺の縦Ｅ：４．６m，横Ｆ：４．６mであり、柱状魚礁３１の底面の最大長さに対する高さの比は約３．８倍である。また柱状魚礁１１は上記実施例１と同様の大きさである。
【００４０】
上記実施例４の魚礁群人工礁４０は、図８に示す様に３基の柱状魚礁１１が基盤１２上に立設されたものである。
【００４１】
本発明の魚礁群人工礁としては、これら実施例２〜４の様に、様々な柱状魚礁を様々な配置で基盤に立設したものが挙げられる。
【００４２】
また基盤の形状としても大きな板状のものであれば、どの様な形のものであっても良く、例えば図１０［本発明に係る魚礁群人工礁の基盤の例を表す斜視図］の（ａ），（ｂ），（ｃ）に示す様な様々な形態のものが挙げられる。
【００４３】
＜実施例５＞
図１１は本発明の実施例５に係る魚礁群人工礁５０を示す斜視図である。尚図３，４と同じ構成部分については同一の符号を付して重複説明を避ける。
【００４４】
該魚礁群人工礁５０は基盤５２上に柱状魚礁１１が４基立設されたものであり、該柱状魚礁１１の高さ方向に３段となる様に増殖礁５４が設けられている。尚増殖礁５４は、隣接する柱状魚礁１１を架け渡す格子状のフロア上に載置されている。また増殖礁５４と増殖礁５４は高さ方向に１０ｍ離れている。
【００４５】
この様に増殖礁５４を設けることにより、魚の産卵場所等が多くなり、魚が非常に良好に増殖される。
【００４６】
以上の様に本発明に係る魚礁群人工礁に関して、実施例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４７】
例えば図示例では柱状魚礁として四角柱のものを示したが、これに限るものではなく、例えば円柱状であっても良い。
【００４８】
また増殖礁を、複数の柱状魚礁によって形成される外周縁の外方に向けて延設する様に設けたものであっても良い。加えて上記柱状魚礁の下部に、湧昇流を生じさせるユニットを設けても良い。
【００４９】
基盤の厚みとしては上記実施例の如く２００mmに限らず、３００mmや２５０mmであっても良い。
【００５０】
この様な様々な形状の柱状魚礁や基盤、また増殖礁を、幼稚魚の保護や産卵場の造成等の目的に応じて、適宜組み合わせて魚礁群人工礁とすると良い。
【００５１】
【発明の効果】
本発明に係る魚礁群人工礁は、高さが高いから比較的水深の深い海域においても好適に用いることができ、且つ高効率に魚の生息域を確保することができる。よって漁場造成や増殖場造成等にとって好適である。
【図面の簡単な説明】
【図１】本発明に係る魚礁群人工礁の一例における魚生息域を説明するための図。
【図２】（ａ）は複数の魚礁が近接して設置された魚礁群人工礁における水平断面図、（ｂ）は複数の魚礁が十分な間隔を開けて設置された魚礁群人工礁における水平断面図。
【図３】本発明の実施例１に係る魚礁群人工礁を示す斜視図。
【図４】（ａ）は実施例１の魚礁群人工礁の柱状魚礁を示す斜視図、（ｂ）は実施例１の魚礁群人工礁の基盤を示す斜視図。
【図５】実施例１の魚礁群人工礁を模式的に表した斜視図。
【図６】本発明の実施例２に係る魚礁群人工礁を示す斜視図。
【図７】本発明の実施例３に係る魚礁群人工礁を示す斜視図。
【図８】本発明の実施例４に係る魚礁群人工礁を示す斜視図。
【図９】（ａ）は実施例２の魚礁群人工礁の柱状魚礁を示す斜視図、（ｂ）は実施例３の魚礁群人工礁の柱状魚礁の１つを示す斜視図。
【図１０】本発明に係る魚礁群人工礁の基盤の例を表す斜視図。
【図１１】本発明の実施例５に係る魚礁群人工礁を示す斜視図。
【図１２】大型魚礁の魚生息域を説明するための図。
【符号の説明】
１０，２０，３０，４０，５０  魚礁群人工礁
１１，１５，２１，３１  柱状魚礁
１２，５２  基盤
１３  連結部材
５４  増殖礁
９０  大型魚礁
【図１】
0004022029.tif 000002
【図２】
0004022029.tif 000003
【図３】
0004022029.tif 000004
【図４】
0004022029.tif 000005
【図５】
0004022029.tif 000006
【図６】
0004022029.tif 000007
【図７】
0004022029.tif 000008
【図８】
0004022029.tif 000009
【図９】
0004022029.tif 000010
【図１０】
0004022029.tif 000011
【図１１】
0004022029.tif 000012
【図１２】
0004022029.tif 000013